(57)【要約】【課題】機器内に装着した電子情報記録媒体と外部機器との非接触交信を可能とする電子情報記録媒体読み取り・書き込み装置等を提供する。【解決手段】本発明の電子情報記録媒体読み取り・書き込み装置１は、装置内に着脱可能に装着し非接触通信機能または接触・非接触両用通信機能を有する電子情報記録媒体２に対する情報の読み取り・書き込みを行う装置であって、前記電子情報記録媒体内のアンテナ２２と電磁結合して非接触で信号の授受を行う装置側アンテナ１１と、さらに当該装置側アンテナが装置本体から空間に突出し外部機器と交信を行うアンテナ１２を有することにより、電子情報記録媒体２と前記外部機器３との間の交信を可能とすることを特徴とする。電子情報記録媒体読み取り・書き込み装置１は、さらに送受信回路や制御回路、あるいは第２の通信機能部を有する形態にすることもできる。【選択図】　　図１
2004070769.tif 000002
【特許請求の範囲】
【請求項１】
装置内に着脱可能に装着した非接触通信機能または接触・非接触両用通信機能を有する電子情報記録媒体に対する情報の読み取り・書き込みを行う装置であって、前記電子情報記録媒体内のアンテナと電磁結合して非接触で信号の授受を行う装置側アンテナと、さらに当該装置側アンテナが装置本体から空間に突出し外部機器と交信を行うアンテナに接続していることにより、電子情報記録媒体と前記外部機器との間の交信を可能とすることを特徴とする電子情報記録媒体読み取り・書き込み装置。
【請求項２】
装置内に着脱可能に装着した非接触通信機能または接触・非接触両用通信機能を有する電子情報記録媒体に対する情報の読み取り・書き込みを行う装置であって、前記電子情報記録媒体内のアンテナと電磁結合して非接触で信号の授受を行う装置側アンテナと、前記電子情報媒体に対して信号を送る送信回路と、前記電子情報媒体からの信号を受ける受信回路と、それらの制御回路と、を有し、さらに当該装置側アンテナが装置本体から空間に突出し外部機器と交信を行うアンテナに接続していることにより、電子情報記録媒体と前記外部機器との間の交信を可能とすることを特徴とする電子情報記録媒体読み取り・書き込み装置。
【請求項３】
装置内に着脱可能に装着した非接触通信機能または接触・非接触両用通信機能を有する電子情報記録媒体に対する情報の読み取り・書き込みを行う装置であって、前記電子情報記録媒体内のアンテナと電磁結合して非接触で信号の授受を行う装置側アンテナと、前記電子情報媒体に対して信号を送る送信回路と、前記電子情報媒体からの信号を受ける受信回路と、それらの制御回路と、第２の外部機器と交信を行う第２の通信機能部と、を有し、さらに当該装置側アンテナが装置本体から空間に突出し外部機器と交信を行うアンテナに接続していることにより、電子情報記録媒体と前記外部機器との間の交信を可能とすることを特徴とする電子情報記録媒体読み取り・書き込み装置。
【請求項４】
請求項１ないし請求項３記載のいずれか１項に記載の電子情報記録媒体読み取り・書き込み装置における空間に突出し外部機器と交信を行うアンテナが、高透磁率材料からなる棒状の突起物に被覆のついた導線を巻きつけてなるアンテナであることを特徴とする電子情報記録媒体読み取り・書き込み装置。
【請求項５】
電子情報記録媒体が、ＳＩＭ、ＵＩＭ、ＵＳＩＭのいずれかのモジュールであることを特徴とする請求項１から請求項３のいずれか１項に記載の電子情報記録媒体読み取り・書き込み装置。
【請求項６】
電子情報記録媒体が、チップオンコイル型ＩＣチップを有する電子情報記録媒体であることを特徴とする請求項１から請求項３のいずれか１項に記載の電子情報記録媒体読み取り・書き込み装置。
【請求項７】
請求項１ないし請求項３記載のいずれか１項に記載の電子情報記録媒体読み取り・書き込み装置に使用する電子情報記録媒体であって、接触・非接触の両用通信機能を有するＩＣチップに基板内に埋設されたアンテナコイルが接続していることを特徴とする電子情報記録媒体。
【請求項８】
請求項１ないし請求項３記載のいずれか１項に記載の電子情報記録媒体読み取り・書き込み装置に使用する電子情報記録媒体であって、非接触通信機能を有するＩＣチップに基板内に埋設されたアンテナコイルが接続していることを特徴とする電子情報記録媒体。
【発明の詳細な説明】
【０００１】
【発明の属する技術分野】
この発明は、電子情報記録媒体読み取り・書き込み装置およびそれに使用する電子情報記録媒体に関する。
詳しくは、機器装着用の非接触電子情報記録媒体（ＩＣモジュール）もしくは接触・非接触両用電子情報記録媒体（ＩＣモジュール）における通信特性、利便性を向上させる技術に関する。
従って、本発明の利用分野は、電子情報記録媒体やその読み取り・書き込み装置の製造や使用分野に関する。
【０００２】
【従来技術】
ＩＣカードは、データの通信を接点を介して行う接触型ＩＣカードと、アンテナを介する電磁誘導方式等の非接触通信手段にて行う非接触型ＩＣカードに分類される。接触型ＩＣカードは、安定した電源が外部から常に供給されるため、消費電力の高い複雑な暗号処理等が短時間で可能となる利点がある。
一方、非接触型ＩＣカードは、接点を必要としないため、耐振動性、耐摩性、利用者の利便性等に優れている。
これらの特性から、接触型ＩＣカードは主に決済用途、非接触型ＩＣカードは交通システム等のゲート・アクセス管理に用いられている。
【０００３】
また、近年、接触型ＩＣカードと非接触型ＩＣカードの機能を併せ持つ接触／非接触共用ＩＣカードが開発され、接触機能と非接触機能を用いたシステムとが融合されたシステム等が用いられており、利用用途に応じて接触型ＩＣカード用リーダライタとの接触型通信処理、非接触型ＩＣカード用リーダライタとの非接触型通信処理が行われている。
また、携帯電話等の機器に組み込んだ状態でＩＣチップとのデータ授受を行うことを目的として小型形状のＩＣモジュール（ＳＩＭ、ＵＩＭ、ＵＳＩＭ等）も考案されている。
このようなＩＣモジュールは一般的には、図６のように、長さＬが２５ｍｍ、幅Ｗが１５ｍｍ程度、厚み１．０ｍｍ以内の均一な薄板状のものであって、リーダライタと交信のための接触端子板２３を有するものである。切り欠き２８は、ＩＣモジュールを機器に装着する際の位置合わせの整合のためのものである。
【０００４】
なお、接触・非接触両機能を有するＩＣカードに関し、外部リーダライタとの非接触交信機能をＩＣモジュールとＩＣカード内蔵アンテナとの電磁結合方式により行う技術に、特開平１１−１４９５３６号、特開平１１−１４９５３７号、特開平１１−１４９５３８号等があるが、同各公開公報の技術は、ＩＣカードと外部リーダライタとの直接交信を目的とするものであって、携帯電話等の機器に装着した状態でのＩＣカード等と外部機器との交信技術に直接関連するものではない。
【０００５】
【発明が解決しようとする課題】
非接触ＩＣモジュールもしくは接触・非接触両用ＩＣモジュールを読み取り・書き込み装置に組み込んだ状態では、機器の金属遮蔽物等の影響を受けるとともに、ＩＣモジュールに接続されたアンテナサイズが小さいため、電子情報記録媒体（ＩＣモジュールまたはＩＣカード）が外部通信機器と非接触通信処理を行うことは困難であった。
そこで、本発明では携帯電話等のリーダライタ装置のアンテナを介して電子情報記録媒体が外部機器と非接触通信を可能とすることを研究して本発明の完成に至ったものである。
【０００６】
【課題を解決するための手段】
上記課題を解決する本発明の要旨の第１は、装置内に着脱可能に装着した非接触通信機能または接触・非接触両用通信機能を有する電子情報記録媒体に対する情報の読み取り・書き込みを行う装置であって、前記電子情報記録媒体内のアンテナと電磁結合して非接触で信号の授受を行う装置側アンテナと、さらに当該装置側アンテナが装置本体から空間に突出し外部機器と交信を行うアンテナに接続していることにより、電子情報記録媒体と前記外部機器との間の交信を可能とすることを特徴とする電子情報記録媒体読み取り・書き込み装置、にある。
【０００７】
上記課題を解決する本発明の要旨の第２は、装置内に着脱可能に装着した非接触通信機能または接触・非接触両用通信機能を有する電子情報記録媒体に対する情報の読み取り・書き込みを行う装置であって、前記電子情報記録媒体内のアンテナと電磁結合して非接触で信号の授受を行う装置側アンテナと、前記電子情報媒体に対して信号を送る送信回路と、前記電子情報媒体からの信号を受ける受信回路と、それらの制御回路と、を有し、さらに当該装置側アンテナが装置本体から空間に突出し外部機器と交信を行うアンテナに接続していることにより、電子情報記録媒体と前記外部機器との間の交信を可能とすることを特徴とする電子情報記録媒体読み取り・書き込み装置、にある。
【０００８】
上記課題を解決する本発明の要旨の第３は、装置内に着脱可能に装着した非接触通信機能または接触・非接触両用通信機能を有する電子情報記録媒体に対する情報の読み取り・書き込みを行う装置であって、前記電子情報記録媒体内のアンテナと電磁結合して非接触で信号の授受を行う装置側アンテナと、前記電子情報媒体に対して信号を送る送信回路と、前記電子情報媒体からの信号を受ける受信回路と、それらの制御回路と、第２の外部機器と交信を行う第２の通信機能部と、を有し、さらに当該装置側アンテナが装置本体から空間に突出し外部機器と交信を行うアンテナに接続していることにより、電子情報記録媒体と前記外部機器との間の交信を可能とすることを特徴とする電子情報記録媒体読み取り・書き込み装置、にある。
【０００９】
上記において、空間に突出し外部機器と交信を行うアンテナが、高透磁率材料からなる棒状の突起物に被覆のついた導線を巻きつけてなるアンテナである、ようにしても良い。また、上記において、電子情報記録媒体は、ＳＩＭ、ＵＩＭ、ＵＳＩＭのいずれかのモジュールである、ようにすることができ、また、電子情報記録媒体が、チップオンコイル型ＩＣチップを有する電子情報記録媒体である、ようにしても良い。
【００１０】
上記課題を解決する本発明の要旨の第４は、請求項１ないし請求項３記載のいずれか１項に記載の電子情報記録媒体読み取り・書き込み装置に使用する電子情報記録媒体であって、接触・非接触の両用通信機能を有するＩＣチップに基板内に埋設されたアンテナコイルが接続していることを特徴とする電子情報記録媒体、にある。
【００１１】
上記課題を解決する本発明の要旨の第５は、請求項１ないし請求項３記載のいずれか１項に記載の電子情報記録媒体読み取り・書き込み装置に使用する電子情報記録媒体であって、非接触通信機能を有するＩＣチップに基板内に埋設されたアンテナコイルが接続していることを特徴とする電子情報記録媒体、にある。
【００１２】
【発明の実施の形態】
本発明の電子情報記録媒体読み取り・書き込み装置（以下、「リーダライタ」と表記する場合もある。）は、着脱可能に装着するＩＣモジュールやＩＣカード等の電子情報記録媒体と外部機器との間で非接触通信を行う装置であるが、少なくとも非接触通信機能を有する電子情報記録媒体との間で、電磁結合するアンテナを介して外部機器と非接触通信させることを特徴とする。
このような機能を携帯端末等のリーダライタに具備させることにより、従来、不可能であった携帯端末に装着（または内蔵）した電子情報記録媒体（ＩＣカードやＳＩＭ、ＵＩＭ、ＵＳＩＭを含む。）と外部機器との交信が可能となる特徴がある。
なお、電子情報記録媒体の多くは、接触通信機能をも有するものであるが、接触通信機能はリーダライタとの間のデータ交換に用いられ、外部機器との交信は非接触交信機能によりなされ、接触通信機能は外部機器との交信に直接関与しないものとする。
【００１３】
このように電子情報記録媒体が、リーダライタとの間で非接触通信機能を有することが必須とされるのは、非接触通信機能が端子が不要であって接点不良の問題を生じないこと、振動や塵埃に対して機能不全にならないこと、着脱して使用する電子情報記録媒体に対して信頼性が高いこと、等の理由による。
【００１４】
本発明に使用する電子情報記録媒体は、近年、携帯電話に組み込まれて使用されているＵＩＭ、ＳＩＭやＵＳＩＭと呼ばれるセキュリティーＩＤモジュールであってもよい。ＵＩＭ（ｕｓｅｒ　Ｉｄｅｎｔｉｔｙ　Ｍｏｄｕｌｅ）　は携帯電話会社が発行する契約者情報を記録したＩＣカードであって、携帯電話機に組み込んで利用者の識別等に使用する。
これは同様な機能を持つＳＩＭ（Ｓｕｂｓｃｒｉｂｅｒ　Ｉｄｅｎｔｉｔｙ　Ｍｏｄｕｌｅ）　から機能拡張が行われたもので、契約者情報以外に電話帳などのプライベート情報やクレジット決済用の個人識別情報などを暗号化して登録することが可能となっている。
ＳＩＭをベースにしていることからＵＳＩＭ（Ｕｎｉｖｅｒｓａｌ　ＳＩＭ　）　と呼ばれることもある。ＳＩＭはＧＳＭ携帯電話サービスの利用を目的とするが、ＵＩＭは、例えば、アメリカのｃｄｍａ２０００携帯電話機に差し込んで国際ローミングサービスを受けるといった使用方法が考えられている。
着脱可能な点を強調してＲ−ＵＩＭ（Ｒｅｍｏｖａｂｌｅ　ＵＩＭ）と表されることもある。
【００１５】
従来のＵＩＭ、ＳＩＭやＵＳＩＭは一般に本体の携帯電話との間で接触端子を介する接触通信であるが、本発明で使用する電子情報記録媒体は、平面コイル状アンテナを有し非接触通信が可能であることが必須の条件となる。
電子情報記録媒体は、メモリーや制御部を有する集積化したモジュールであれば良く、アンテナコイルを有するオンチップ型のものであってもよい。
この電子情報記録媒体のアンテナと交信するため、リーダライタ側にもこれと電磁結合する平面コイル状アンテナを有することが必要となる。
【００１６】
以下、図面を参照して本発明の実施形態について説明する。
図１は、本発明の電子情報記録媒体読み取り・書き込み装置の第１実施形態を示す図、図２は、同第２実施形態を示す図、図３は、同第３実施形態を示す図である。いずれも、図（Ａ）は、その回路ブロック構成、図（Ｂ）は、外観構成を示している。
【００１７】
図１（Ａ）において、電子情報記録媒体２は、電子情報記録媒体読み取り・書き込み装置１に着脱可能に装着（または内蔵）されている。
電子情報記録媒体２は、ＩＣチップ２１と第１結合アンテナ２２とを有する。他に、リーダライタ１と接触的に交信する接触端子板（不図示）を有していても良い。リーダライタ１は、前記第１結合アンテナ２２と電磁結合する第２結合アンテナ１１および当該第２結合アンテナ１１と接続している第３アンテナ１２とを有している。
第１結合アンテナ２２と第２結合アンテナ１１は、密結合する形態が好ましく、第１結合アンテナは電子情報記録媒体２が有するＩＣチップ２１に接続し、その周囲を周回する平面巻き線状コイルであり、第２結合アンテナはリーダライタ１の電子情報媒体装着部の周囲に同様に平面巻き線状コイルに形成される。
【００１８】
第３アンテナ１２は、リーダライタ１の装置本体から空間に突出した形状を有し、第１の外部機器３との非接触交信を行うことができる。第３アンテナ１２がリーダライタ１の外側に突出している形状を有することにより、装置の函体等の金属遮蔽物の影響を低減し、かつ容易に第１の外部機器に接近させ易い構造とすることができる。第３アンテナ１２を、非金属もしくはフェライト等の高透磁率材料からなる棒状の突起物に被覆のついた導線を巻きつける構造とすることにより、外部機器からの信号を効率的に受信することができる。
第３アンテナ１２と第２結合アンテナ１１とは、有線で結合されていても、電磁結合によって接続されていても構わない。
【００１９】
ここで、第１の外部機器３とは、交通機関の改札ゲートや企業内のドアゲート、あるいは店舗におけるレジスター横の端末、自動販売機等を意味する。これらとリーダライタ１との非接触交信により、改札やドアの開閉、入金操作、商品の自動購入等の目的を遂行するものである。
したがって、このような第１の外部機器３との間で交信する際は、図１（Ｂ）のように第１の外部機器３から呼出し信号が送信されて、これに対し電子情報記録媒体２から第３アンテナを介して応答信号が発せられることになる。
電子情報記録媒体２から送信される情報は、例えば第１の外部機器が交通機関改札ゲートである場合は、有効期間や有効区間等の情報である。
【００２０】
本発明の第２実施形態では、電子情報記録媒体読み取り・書き込み装置１が上記の第１実施形態の機能の他に、送受信回路およびそれらの制御回路を有することを特徴とする。
図２（Ａ）において、電子情報記録媒体２は、リーダライタ１に着脱可能に装着（または内蔵）され、ＩＣチップ２１と第１結合アンテナ２２とを有し、リーダライタ１は第２結合アンテナ１１およびアンテナ１２を有しており、それらの機能等は第１実施形態の場合と同様である。第２実施形態の特徴は、電子情報記録媒体１との間でデータ通信を行うことができる受信回路１３、送信回路１４、およびそれらの制御回路１５を有していることにある。
【００２１】
第２実施形態では、これらの構成を有することにより、第１の外部機器３に対する非接触交信のほかに、リーダライタ１と電子情報記録媒体２との間で非接触で交信を行うことができる。
これらの情報の交換は、ＵＩＭの有する契約者情報やＳＩＭの有する電話帳などのプライベート情報やクレジット決済用の個人識別情報などであっても良く、その他、目的に合わせたデータ交換をすることができる。
受信回路１３は受信信号を復調し、送信回路１４は送信信号を変調することを行う。また、制御回路１５は送受信のバッファ制御やメモリ制御、入出力制御等の機能を行う。
【００２２】
本発明の第３実施形態では、電子情報記録媒体読み取り・書き込み装置１が上記の第２実施形態の機能の他に、第２の非接触通信機能部を有することを特徴とする。
図３（Ａ）において、電子情報記録媒体２は、リーダライタ１に着脱可能に装着（または内蔵）され、ＩＣチップ２１と第１結合アンテナ２２とを有し、リーダライタ１は、第２結合アンテナ１１および第３アンテナ１２を有すること、およびそれらの機能等は第１実施形態の場合と同様である。
また、リーダライタ１は、第２実施形態と同様に、送信回路１３、受信回路１４、制御回路１５を有している。
第３実施形態の特徴は、さらに第２の通信機能部１６を有していることにある。これにより第２の外部機器４と非接触交信をすることができる。
【００２３】
第３実施形態では、これらの構成を有することにより、リーダライタ１が第１の外部機器３とは異なる第２の外部機器４と交信を行うことができる。
これらの交信は、電話回線によるもの、ブルートゥース無線通信、赤外線通信等とすることができる。
非接触ＩＣカードは一般にＩＳＯ１４４４３規格でその周波数帯は１３．５６ＭＨｚであるが、電話回線は８００ＭＨｚ、１．５６ＧＨｚ、２ＧＨｚの周波数帯が使用され、ブルートゥース無線方式も２．４５ＧＨｚが使用されるので、第１の外部機器３とは異なる通信機能部が必要とされる。
これらにより、一般の携帯電話としての使用やブルートゥースによる１０ｍ近辺内の非接触通信が可能となる。赤外線通信は、ピーク波長８５０ｎｍから９００ｎｍのものを利用するもので、有効通信距離は１ｍ程度以内である。
【００２４】
次に、本発明に使用する電子情報記録媒体の形態について説明する。
図４は、電子情報記録媒体の第１実施形態、図５は、同第２実施形態、図７は、電子情報記録媒体の第１実施形態における接触端子板形状を示す図である。
図８は、チップオンコイル型電子情報記録媒体を示す図である。
【００２５】
電子情報記録媒体２の第１実施形態は、図４のように通常の接触端子板２３を有するＩＣモジュールであって、接触端子板を介してＩＣチップ（不図示）に接続する第１結合アンテナ２２を有している。第１結合アンテナは、モジュールのコア基材に積層された導電性金属材料をフォトエッチング等により形成することが多い。リーダライタの第２結合アンテナと電磁結合するように、モジュール基板を周回するように数ターンのコイル状に形成する。
電子情報記録媒体２の第２実施形態は、図５のように接触端子板を持たないＩＣモジュールであって、第１結合アンテナ２２はＩＣチップ２１に直結している。この場合は、ＩＣチップ２１とアンテナコイルが共に基板内に埋設された形態であってよい。第１結合アンテナの形状、製造法等は第１実施形態の場合と同様である。
【００２６】
電子情報記録媒体の第１実施形態における接触端子板２３の形状は、図７のようになる。図７（Ａ）は表面側、図７（Ｂ）は端子板背面の配線関係を示す図である。実際には配線部は樹脂モールドされているが、モールド樹脂を透視した状態を示している。
接触端子板２３の表面は、通常ＩＳＯ７８１６規格に準拠した端子機能になっていて、図７（Ａ）のようにＣ１〜Ｃ８の８端子をもっている。
Ｃ１はＶｃｃ、Ｃ２はＲＳＴ、Ｃ３はＣＬＫ、Ｃ５はＧＮＤ、Ｃ６はＶｐｐ、Ｃ７はＩ／Ｏ用、Ｃ４，Ｃ８端子は、ＲＦＵ（リザーブ；Ｒｅｓｅｒｖｅｄ　ｆｏｒ　Ｆｕｔｕｒｅ　Ｕｓｅ）　となっている。Ｖｐｐ（可変供給電圧）も実際には使用していない。
電子情報記録媒体に使用可能なＩＣチップとして、最新のものは接触、非接触の両方のＩ／Ｆをもつものが登場している。リーダライタ側には、このモジュールと接続するための端子として最低５つの端子が必要となる。
【００２７】
図７（Ｂ）のように、接触端子板の背面にはアンテナコイル接続用端子板２４，２５を設ける。電子情報記録媒体基体内の第１結合アンテナとアンテナコイル接続用端子板２４，２５間を導電性接着剤等により接続して導通をとる。これらの技術は非接触・接触両用ＩＣカードの製造上で採用されている技術である。
図７（Ｂ）において斜線のハッチングを施した部分は、金属材料で形成した導通部分であって、アンテナコイル接続用端子板はＣ２，Ｃ３とＣ６，Ｃ７の背面を利用して形成されていて、Ｃ４，Ｃ８端子の背面を通り末端はワイヤボンディングによりＩＣチップ３の非接触通信機能部に接続するようにされている。
表面側接触端子に接続するＣ１，Ｃ２，Ｃ３，Ｃ５，Ｃ７端子は、端子基材に開けた開口を通じて、ワイヤボンディング基板側パッド２６により表面側金属板に導通している。
【００２８】
チップオンコイル型電子情報記録媒体の場合は、図８のように、電子情報記録媒体２内のＩＣチップ２１がＩＣチップ２１に接続されたコイル２１１を有する。コイル２１１はＩＣ素子と共に同一半導体基板上に形成されたものである。
コイル２１１はモジュール基板内の第１結合アンテナと電磁結合して電磁誘導による誘導電流を生じるので、本発明の第１〜第３実施形態における電子情報記録媒体読み取り・書き込み装置に使用して、同様に外部機器と非接触交信をすることができる。
【００２９】
すなわち、チップオンコイル型ＩＣはアンテナが小型になるため必然的に通信距離が短くなってしまい、そのままでは、リーダライタの第２結合アンテナと電磁結合することがなきない。そこで、さらに電子情報記録媒体内に設けた第１結合アンテナ２２を介した交信が必要となる。
このようなチップオンコイル型ＩＣは、２．５ｍｍ角程度に形成したものが、日立マクセル株式会社から非接触ＩＣカード用として各種市販されている。
【００３０】
以上のように、本発明の実施形態について説明したが、本発明は図示した実施形態等に限定されず各種の変形実施が可能であり、それらを除外するものではない。例えば、電子情報記録媒体は薄板状のものに限られず、棒状や球形状等であっても良く、リーダライタへの装着は差込みしたり、嵌合させるものであっても良い。
【００３１】
【発明の効果】
上述のように、本発明の電子情報記録媒体読み取り・書き込み装置は、電子情報記録媒体が当該装置を介して外部機器と非接触交信が可能となるので、電子情報記録媒体を内蔵したリーダライタを使用して、従来不可能であった交通機関の改札ゲート等と直接的に非接触交信することが可能になる。
また、リーダライタの第３アンテナが機器の外側に突出しているので、金属遮蔽物等の影響を低減するとともに、外部機器に接近させ易く非接触交信を一層容易にすることができ、利便性、通信特性を高められる。
【図面の簡単な説明】
【図１】本発明の電子情報記録媒体読み取り・書き込み装置の第１実施形態を示す図である。
【図２】同第２実施形態を示す図である。
【図３】同第３実施形態を示す図である。
【図４】電子情報記録媒体の第１実施形態を示す図である。
【図５】同第２実施形態を示す図である。
【図６】ＩＣモジュールの一般的形態を示す図である。
【図７】電子情報記録媒体の第１実施形態における接触端子板形状を示す図である。
【図８】チップオンコイル型電子情報記録媒体を示す図である。
【符号の説明】
１　　電子情報記録媒体読み取り・書き込み装置（リーダライタ）
２　　電子情報記録媒体
３　　第１の外部機器
４　　第２の外部機器
１１　　第２結合アンテナ
１２　　第３アンテナ
１３　　受信回路
１４　　送信回路
１５　　制御回路
１６　　第２の通信機能部
２１　　ＩＣチップ
２２　　第１結合アンテナ
２３　　接触端子板
２４，２５　　アンテナコイル接続用端子板
２７　　ボンディングワイヤ
２８　　切り欠き
【図１】
2004070769.tif 000003
【図２】
2004070769.tif 000004
【図３】
2004070769.tif 000005
【図４】
2004070769.tif 000006
【図５】
2004070769.tif 000007
【図６】
2004070769.tif 000008
【図７】
2004070769.tif 000009
【図８】
2004070769.tif 000010